(57)【要約】【課題】ネットワークの特性を生かしながら、地域性を有する投票券を効率よく販売することができる投票券販売管理方法及び投票券販売管理プログラムを提供する。【解決手段】利用者端末１０は宝くじの購入要求を、インターネットＩを介して販売管理システム２０に送信する。管理コンピュータ２１は、金融機関ホストシステム３０に対して販売代金の決済要求を行なう。決済処理が完了した場合、管理コンピュータ２１は宝くじを購入した会員の住所を売場コードに変換する。そして、会員ＩＤ、宝くじの内容及び売場コードに関するデータを含む発券要求を発券センタ４０に送信する。発券センタ４０は、収益金を各地方自治体の口座に入金するため、売場コードに基づいて収益金の振り分けを行なう。【選択図】      図１
2004213105.tif 000002
【特許請求の範囲】
【請求項１】
ネットワークに接続された管理コンピュータを用いて投票券の販売管理を行なう方法であって、
前記管理コンピュータが、
前記ネットワークを介して、利用者情報を含む投票券購入要求を受信する段階と、
前記投票券購入要求に基づいて、利用者の預金口座から販売代金を引き落とす段階と、
前記利用者情報に基づいて、前記販売代金に関する収益金を分配するための販売地域データを生成する段階と、
前記販売地域データに基づいて前記収益金を分配する段階と
を有することを特徴とする投票券販売管理方法。
【請求項２】
前記投票券は、複数の自治体で販売される共通の宝くじであり、
前記販売地域データは、前記宝くじの販売を行なった自治体を特定するためのデータであることを特徴とする請求項１に記載の投票券販売管理方法。
【請求項３】
前記利用者情報は、前記利用者の住所に関する情報であることを特徴とする請求項１又は２に記載の投票券販売管理方法。
【請求項４】
前記利用者情報は、前記利用者が選択した購入希望地域に関する情報であることを特徴とする請求項１又は２に記載の投票券販売管理方法。
【請求項５】
前記利用者情報は、
前記管理コンピュータが、位置測定手段を用いて取得した前記利用者の所在地に関する情報であることを特徴とする請求項１又は２に記載の投票券販売管理方法。
【請求項６】
前記販売地域データの生成は、
前記投票券購入要求に含まれる利用者情報に基づいて特定した預金口座に関連づけられて記録された住所に基づいて、販売地域データを生成することを特徴とする請求項１又は２に記載の投票券販売管理方法。
【請求項７】
前記販売地域データは、店頭での販売時に用いられる投票券の売場識別子であることを特徴とする請求項１〜６のいずれか１項に記載の投票券販売管理方法。
【請求項８】
ネットワークに接続された管理コンピュータを用いて投票券の販売管理を行なうプログラムであって、
前記管理コンピュータを、
前記ネットワークを介して、利用者情報を含む投票券購入要求を受信する手段と、
前記投票券購入要求に基づいて、利用者の預金口座から販売代金を引き落とす手段と、
前記利用者情報に基づいて、前記販売代金に関する収益金を分配するための販売地域データを生成する手段と、
前記販売地域データに基づいて前記収益金を分配する手段
として機能させることを特徴とする投票券販売管理プログラム。
【請求項９】
前記投票券は、複数の自治体で販売される共通の宝くじであり、
前記販売地域データは、前記宝くじの販売を行なった自治体を特定するためのデータであることを特徴とする請求項８に記載の投票券販売管理プログラム。
【請求項１０】
前記利用者情報は、前記利用者の住所に関する情報であることを特徴とする請求項８又は９に記載の投票券販売管理プログラム。
【請求項１１】
前記利用者情報は、前記利用者が選択した購入希望地域に関する情報であることを特徴とする請求項８又は９に記載の投票券販売管理プログラム。
【請求項１２】
前記利用者情報は、
前記管理コンピュータが、位置測定手段を用いて取得した前記利用者の所在地に関する情報であることを特徴とする請求項８又は９に記載の投票券販売管理プログラム。
【請求項１３】
前記販売地域データの生成は、
前記投票券購入要求に含まれる利用者情報に基づいて特定した預金口座に関連づけられて記録された住所に基づいて、販売地域データを生成することを特徴とする請求項８又は９に記載の投票券販売管理プログラム。
【請求項１４】
前記販売地域データは、店頭販売時に用いられる前記投票券の売場識別子であることを特徴とする請求項８〜１３のいずれか１項に記載の投票券販売管理プログラム。
【発明の詳細な説明】
【０００１】
【発明の属する技術分野】
本発明は、ネットワークの特性を生かしながら、地域性を有する投票券を効率よく販売することができる投票券販売管理方法及び投票券販売管理プログラムに関するものである。
【０００２】
【従来の技術】
今日、宝くじ等の投票券を購入する場合、通常、購入者は宝くじ売場等の投票券販売所に出向く必要がある。このため、投票券の購入を希望していても販売所に出向くことができない場合、投票券を購入することができない。しかも、宝くじ売場は限られた数しかないため、場合によっては、購入まで長時間待たなければならないこともある。さらに、宝くじ売場の営業時間にも制限があるため、宝くじを購入できない場合もある。
【０００３】
このため、インターネット上で宝くじ等を販売するための投票券販売システムが提案されている（例えば、特許文献１参照。）。この投票券販売システムの受付管理部がインターネットを介して会員端末からの宝くじの購入申込を受け付けると、その購入申込がデータベースに格納される。数字選択式宝くじの申込の場合、申込データが中継センタに送られ、データ転送管理部は、宝くじ発券システムが稼動状態であるか否かを判定する。そして、稼動状態である場合には宝くじの購入申込を、宝くじ発券システムに転送する。さらに、発券情報は、中継センタ、宝くじモール・サイト、インターネットを介して会員端末に配信される。普通の宝くじの場合は、宝くじの種類を会員に提示して、会員に種類及び枚数を設定させる。当せん管理部は、当せんした宝くじに関するデータを管理し、当せん結果は、インターネットを介して会員端末に配信する。
【０００４】
これにより、購入者が投票券販売所に出向く必要がなくなるとともに種々の購入オプションを選択することが可能になる。また、投票券の発券システムが非稼働状態であっても、投票券の購入を申し込むことができるので、購入者にとって極めて利便性が高い。
【０００５】
【特許文献１】
特開２００２−１２３６４６号公報（第１頁）
【０００６】
【発明が解決しようとする課題】
しかし、投票券の中には地域性があり、販売地域との関係が強いものがある。例えば、宝くじの場合、販売できる者が定められている。具体的には、「当せん金付証票法」に定められた全国都道府県と１２指定都市の地方自治体に限定されている。そして、この地方自治体が所定の許可を得て発売元となり、発売等の事務を銀行に委託している。そして、収益金は抽せん終了後、時効当せん金は時効成立後、それぞれ発売元へ納付される。
【０００７】
しかし、インターネット等のネットワークを利用することにより、販売地域に制限されることなく投票券の販売サイトにアクセスすることができる。このため、全国自治宝くじのように、全国的に共通する宝くじを、インターネットを介して販売した場合、収益金の分配方法が問題となる。
【０００８】
本発明は、上記問題点を解決するためになされたものであり、ネットワークの特性を生かしながら、地域性を有する投票券を効率よく販売することができる投票券販売管理方法及び投票券販売管理プログラムを提供することである。
【０００９】
【課題を解決するための手段】
上記問題点を解決するために、請求項１に記載の発明は、ネットワークに接続された管理コンピュータを用いて投票券の販売管理を行なう方法であって、前記管理コンピュータが、前記ネットワークを介して、利用者情報を含む投票券購入要求を受信する段階と、前記投票券購入要求に基づいて、利用者の預金口座から販売代金を引き落とす段階と、前記利用者情報に基づいて、前記販売代金に関する収益金を分配するための販売地域データを生成する段階と、前記販売地域データに基づいて前記収益金を分配する段階とを有することを要旨とする。
【００１０】
請求項２に記載の発明は、請求項１に記載の投票券販売管理方法において、前記投票券は、複数の自治体で販売される共通の宝くじであり、前記販売地域データは、前記宝くじの販売を行なった自治体を特定するためのデータであることを要旨とする。
【００１１】
請求項３に記載の発明は、請求項１又は２に記載の投票券販売管理方法において、前記利用者情報は、前記利用者の住所に関する情報であることを要旨とする。
【００１２】
請求項４に記載の発明は、請求項１又は２に記載の投票券販売管理方法において、前記利用者情報は、前記利用者が選択した購入希望地域に関する情報であることを要旨とする。
【００１３】
請求項５に記載の発明は、請求項１又は２に記載の投票券販売管理方法において、前記利用者情報は、前記管理コンピュータが、位置測定手段を用いて取得した前記利用者の所在地に関する情報であることを要旨とする。
【００１４】
請求項６に記載の発明は、請求項１又は２に記載の投票券販売管理方法において、前記販売地域データの生成は、前記投票券購入要求に含まれる利用者情報に基づいて特定した預金口座に関連づけられて記録された住所に基づいて、販売地域データを生成することを要旨とする。
【００１５】
請求項７に記載の発明は、請求項１〜６のいずれか１項に記載の投票券販売管理方法において、前記販売地域データは、店頭での販売時に用いられる投票券の売場識別子であることを要旨とする。
【００１６】
請求項８に記載の発明は、ネットワークに接続された管理コンピュータを用いて投票券の販売管理を行なうプログラムであって、前記管理コンピュータを、前記ネットワークを介して、利用者情報を含む投票券購入要求を受信する手段と、前記投票券購入要求に基づいて、利用者の預金口座から販売代金を引き落とす手段と、前記利用者情報に基づいて、前記販売代金に関する収益金を分配するための販売地域データを生成する手段と、前記販売地域データに基づいて前記収益金を分配する手段として機能させることを要旨とする。
【００１７】
請求項９に記載の発明は、請求項８に記載の投票券販売管理プログラムにおいて、前記投票券は、複数の自治体で販売される共通の宝くじであり、前記販売地域データは、前記宝くじの販売を行なった自治体を特定するためのデータであることを要旨とする。
【００１８】
請求項１０に記載の発明は、請求項８又は９に記載の投票券販売管理プログラムにおいて、前記利用者情報は、前記利用者の住所に関する情報であることを要旨とする。
【００１９】
請求項１１に記載の発明は、請求項８又は９に記載の投票券販売管理プログラムにおいて、前記利用者情報は、前記利用者が選択した購入希望地域に関する情報であることを要旨とする。
【００２０】
請求項１２に記載の発明は、請求項８又は９に記載の投票券販売管理プログラムにおいて、前記利用者情報は、前記管理コンピュータが、位置測定手段を用いて取得した前記利用者の所在地に関する情報であることを要旨とする。
【００２１】
請求項１３に記載の発明は、請求項８又は９に記載の投票券販売管理プログラムにおいて、前記販売地域データの生成は、前記投票券購入要求に含まれる利用者情報に基づいて特定した預金口座に関連づけられて記録された住所に基づいて、販売地域データを生成することを要旨とする。
【００２２】
請求項１４に記載の発明は、請求項８〜１３のいずれか１項に記載の投票券販売管理プログラムにおいて、前記販売地域データは、店頭販売時に用いられる前記投票券の売場識別子であることを要旨とする。
【００２３】
（作用）
請求項１又は８に記載の発明によれば、管理コンピュータが、ネットワークを介して、利用者情報を含む投票券購入要求を受信する。次に、前記投票券購入要求に基づいて、利用者の預金口座から販売代金を引き落とす。そして、利用者情報に基づいて、前記販売代金に関する収益金を分配するための販売地域データを生成し、この販売地域データに基づいて前記収益金を分配する。このため、ネットワーク上で販売した投票券に関しても販売地域データに基づいて収益金を分配することができる。実存する投票券売場で販売を行なう場合は、その所在地で販売地域を特定し、収益金の分配を行なっているが、ネットワーク上の地域概念のない仮想的な空間においても投票券の販売を行なうことができる。
【００２４】
請求項２又は９に記載の発明によれば、前記投票券は、複数の自治体で販売される宝くじであり、前記販売地域データは、前記宝くじの販売を行なった自治体を特定するためのデータである。このため、全国自治宝くじのように、全国的に販売される投票券に関しても、ネットワーク上の仮想的な空間において販売することができる。
【００２５】
請求項３又は１０に記載の発明によれば、前記利用者情報は、前記利用者の住所に関する情報である。このため、利用者の住所に基づいて、販売地域を特定することができる。
【００２６】
請求項４又は１１に記載の発明によれば、前記利用者情報は、前記利用者が選択した購入希望地域に関する情報である。このため、利用者の希望に基づいて、販売地域を特定することができる。例えば、利用者の故郷や好みの地域等、利用者の所在地から遠隔する地域であっても投票券を購入することができる。従って、地理的な条件に制約されず、ネットワークの利便性を活かした投票券販売を行なうことができる。
【００２７】
請求項５又は１２に記載の発明によれば、前記利用者情報は、前記管理コンピュータが、位置測定手段を用いて取得した前記利用者の所在地に関する情報である。このため、利用者の現実の所在地に基づいて、販売地域を特定することができる。従って、実存する投票券売場での販売に近い形態で、効率的に投票券の販売を行なうことができる。特に、利用者の所在地に関する情報は、管理コンピュータが位置測定手段を用いて取得するので、所在地等の入力等、利用者に負担をかけずに、より確実に所在地を特定できる。
【００２８】
請求項６又は１３に記載の発明によれば、前記販売地域データの生成は、前記投票券購入要求に含まれる利用者情報に基づいて特定した預金口座に関連づけられて記録された住所に基づいて、販売地域データを生成する。このため、投票券の代金引落に用いる利用者の預金口座に関する情報を利用して、販売代金に関する収益金を分配するための販売地域データを効率的に生成できる。
【００２９】
請求項７又は１４に記載の発明によれば、前記販売地域データは、店頭での販売時に用いられる投票券の売場識別子である。このため、実存する投票券売場と同じ投票券の販売を行なうことができる。従って、店頭販売とネット販売という複数の販売チャネルを用いて、利用者に投票券販売の機会を提供できる。
【００３０】
【発明の実施の形態】
以下、本発明を具体化した実施形態を図１〜図１０に従って説明する。本実施形態では、ネットワークを介して受け付けた購入依頼に基づいて、投票券としての宝くじを販売するサービスを提供する場合に用いる投票券販売管理方法及び投票券販売管理プログラムとして説明する。ここでは、このサービスは会員登録された利用者に提供される。
【００３１】
本実施形態では、１から４３までの数字から６個を選ぶ数字選択式宝くじを販売する場合を想定する。数字選択式宝くじにおいては、当せんくじは宝くじの購入者によって選択された６個の数字と、当せん数字の一致度により決定される。そして、当せん金額は発売額と当せん口数によって決定される。また、この数字選択式宝くじは全国自治宝くじの一種であり、宝くじ販売に関する収益金は販売地域に分配される。
【００３２】
本実施形態では、会員登録された利用者が本サービスを利用する場合、図１に示すように、利用者は利用者端末１０を用いて購入依頼の送信等を行なう。
利用者端末１０は、ネットワークを介してデータを送信する機能や、受信したデータを表示する機能等を有するコンピュータ端末である。この利用者端末１０は、図示しないＣＰＵ、ＲＡＭ、ＲＯＭの他、キーボード、マウス等の入力手段、ディスプレイ等の出力手段、モデム等の通信手段等を有する。
【００３３】
また、利用者端末１０は、図１に示すように、ネットワークとしてのインターネットＩを介して販売管理システム２０に接続されている。販売管理システム２０は、会員に対して販売する宝くじの管理に関する各種データ処理を行なうコンピュータシステムである。この販売管理システム２０は、管理コンピュータ２１を備えている。
【００３４】
この管理コンピュータ２１は、利用者端末１０や金融機関ホストシステム３０、発券センタ４０との間でのデータ送受信や、宝くじの各種管理を実行するための各種データの管理処理等を行なう。この管理コンピュータ２１は、図示しないＣＰＵ、ＲＡＭ、ＲＯＭ等を有し、後述する処理（投票券購入要求を受信する段階、販売代金を引き落とす段階、販売地域データを生成する段階、収益金を分配する段階等を含む処理）を行なう。そのための宝くじ販売管理プログラムを実行することにより、管理コンピュータ２１は、投票券購入要求を受信する手段、販売代金を引き落とす手段、販売地域データを生成する手段、収益金を分配する手段等として機能する。
【００３５】
さらに販売管理システム２０は、会員データ記憶部２２や販売データ記憶部２３を備えている。
会員データ記憶部２２には、図２に示すように、本サービスを利用できる会員に関する会員データ２２０が記録されている。この会員データ２２０は、本サービスを利用するための会員申請が行なわれた場合に設定される。会員データ２２０は、会員毎に、会員ＩＤ、氏名、年齢、住所、電子メールアドレス、パスワード、預金口座識別子、口座引落確認フラグ及び住所未確認フラグに関するデータを含んで構成される。
【００３６】
会員ＩＤデータ領域には、会員を特定するための識別子（会員ＩＤ）に関するデータが記録される。
氏名データ領域、年齢データ領域には、それぞれ会員の氏名、年齢に関するデータが記録される。
【００３７】
住所データ領域には、会員の住所に関するデータが記録される。本実施形態では、会員の住所は、宝くじの販売地域を特定するために用いられる。
電子メールアドレスデータ領域には、会員の電子メールアドレスに関するデータが記録される。
【００３８】
パスワードデータ領域には、本サービスを利用する場合に用いるパスワードに関するデータが記録される。会員ＩＤやパスワードは、会員申込時に利用希望者に割り振られる。
【００３９】
預金口座識別子データ領域には、宝くじの購入代金の支払や当せん金の振込に用いられる預金口座を特定するための識別子に関するデータが記録される。本実施形態では、会員の預金口座を特定するために、預金口座識別子データには、金融機関名、支店名、預金種目、口座番号に関するデータ等を含んで構成される。
【００４０】
口座引落確認フラグデータ領域には、会員からの自動口座引落の承諾確認の有無に関するデータが記録される。本実施形態では、口座引落確認フラグは、会員から返送された申込書において自動口座引落の承諾確認が得られた場合に記録される。
【００４１】
住所未確認フラグデータ領域には、会員住所の確認の有無に関するデータが記録される。本実施形態では、住所確認フラグは、会員の住所に送付した郵送物が届かずに返送されたことにより、会員の住所を確認できなかった場合に記録される。
【００４２】
販売データ記憶部２３には、図３に示すように、本サービスを利用する会員に販売した宝くじに関する販売データ２３０が記録されている。この販売データ２３０は、会員から宝くじの購入要求があった場合に設定される。販売データ２３０には、宝くじの販売毎に、会員ＩＤ、申込回、選択数字、申込口数、継続回数及び売場コードに関するデータが相互に関連づけられて記録される。
【００４３】
会員ＩＤデータ領域には、購入要求を行なった会員を特定するための識別子（会員ＩＤ）に関するデータが記録される。
申込回データ領域には、購入する宝くじの発行回を特定するための識別子に関するデータが記録される。本実施形態では、購入する宝くじに種類を特定するために用いられる。なお、複数回以上、継続して宝くじを購入する場合には初回の申込回に関するデータが記録される。
【００４４】
選択数字データ領域には、宝くじ購入時に会員によって選択された数字（申込数字）に関するデータが記録される。本実施形態では、この申込数字は１から４３までの４３個の数字の中から選ばれた６個の数字から構成される。
【００４５】
申込口数データ領域には、購入申込のあった口数に関するデータが記録される。
継続回数データ領域には、選択された数字を用いて宝くじを連続して複数回購入する回数に関するデータが記録される。複数回が選択された場合には、初回の申込回から宝くじの発売毎に自動的に購入が繰り返される。
【００４６】
売り場コードデータ領域には、宝くじの販売場所を特定するための識別子としての売り場コードに関するデータ（販売地域データ）が記録される。この売場コードは、店頭販売時に用いられる投票券の売場識別子と同じものを用いる。
【００４７】
さらに、販売管理システム２０は、図１に示すように金融機関ホストシステム３０との間でデータ通信を行なう。この金融機関ホストシステム３０は預金口座を管理するコンピュータシステムである。この金融機関ホストシステム３０は預金口座の残高の管理、預金口座への入金、預金口座からの出金等を管理する。
【００４８】
さらに、販売管理システム２０は、図１に示すように発券センタ４０との間でデータ通信を行なう。この発券センタ４０は宝くじの発券や抽せんを管理するコンピュータシステムである。
【００４９】
上記のように構成されたシステムにおいて、本サービスに関する宝くじの販売管理を行なう場合の処理手順を説明する。ここで、本サービスの会員申請段階、宝くじの購入申込段階、抽せん段階の順に説明する。
【００５０】
（本サービスの会員申込段階）
まず、会員申込段階の処理を、図４を用いて説明する。本実施形態では、本サービスを利用して宝くじを購入するためには会員登録を行なう必要がある。このため、本サービスの利用希望者はサービス提供者に会員申込の要求を行なう（Ｓ１−１）。本実施形態では、会員申込の要求は、利用者端末１０からインターネットＩを介して販売管理システム２０に送信することにより行なわれる。この要求には、利用希望者の氏名、年齢、住所、電子メールアドレスに関するデータが含まれる。さらに、会員申込の要求には、会員が宝くじ購入するときや当せん金を受け取るときに用いる預金口座識別子に関するデータが含まれる。
【００５１】
会員申込の要求を受信した管理コンピュータ２１は、会員申込の要求に基づいて、利用希望者の氏名、年齢、住所、電子メールアドレス、預金口座識別子に関するデータを会員データ記憶部２２に記録する。
【００５２】
次に、管理コンピュータ２１は利用者端末１０に対して会員申込の受付通知を送信する（Ｓ１−２）。この受付通知により利用希望者は、販売管理システム２０が会員申込の要求を受け付けたことを把握できる。
【００５３】
次に、管理コンピュータ２１は、利用希望者に対して申込書を郵送するための処理を行なう（Ｓ１−３）。本実施形態では、管理コンピュータ２１が、郵送先住所を付した申込書を出力する。そして、サービス提供者が、出力された申込書を利用希望者に郵送する。この場合、申込書は、ステップ（Ｓ１−１）における会員申込要求に含まれる利用希望者の氏名及び住所を宛先として郵送される。
【００５４】
この申込書を郵送先住所で受理した利用希望者は、申込書の所定事項を記入する（Ｓ１−４）。この申込書には、宝くじ購入代金の自動口座引落の契約に関する事項が含まれる。そして、利用希望者は自動口座引落の契約の承諾を記載後、申込書をサービス提供者に返送する（Ｓ１−５）。
【００５５】
返送された申込書を受理したサービス提供者は、申込書を確認し、申込書の内容の登録処理を行なう（Ｓ１−６）。具体的には、申込書の記載に基づいて、会員データ記憶部２２に口座引落確認フラグを記録する。
【００５６】
口座引落確認フラグが記録された場合、管理コンピュータ２１は利用希望者の預金口座の確認処理を実行する（Ｓ１−７）。具体的には、管理コンピュータ２１は金融機関ホストシステム３０にアクセスし、利用希望者の預金口座の有無を打診する。
【００５７】
利用希望者の預金口座を確認できた場合、管理コンピュータ２１は、この利用希望者に対してパスワード及び会員ＩＤを割り振る（Ｓ１−８）。そして、管理コンピュータ２１はパスワード及び会員ＩＤを会員データ記憶部２２に記録された会員データ２２０に追加記録する。
【００５８】
そして、管理コンピュータ２１は、割り振ったパスワード及び会員ＩＤの通知処理を行なう（Ｓ１−９）。この通知も郵送により行なわれる。具体的には、管理コンピュータ２１は、会員データ記憶部２２に記録された利用希望者の氏名及び住所を宛先とする通知書を出力する。この通知書には割り振った会員ＩＤ、パスワードが記載される。
【００５９】
以上により、本サービスの利用希望者は会員として登録され、サービスを利用できる状態になる。なお、ステップ（Ｓ１−３）やステップ（Ｓ１−９）等において郵送された申込書や会員ＩＤ・パスワード通知書が利用希望者の住所に届かず、サービス提供者に返送された場合は、住所未確認フラグが会員データ記憶部２２に記録される。そして、この住所未確認フラグが記録された会員に対してはサービス提供を中止する。
【００６０】
（宝くじの購入申込段階）
次に、会員が宝くじの購入申込を行なう段階の処理について、図５を用いて説明する。まず、会員は宝くじ管理システムへのアクセスを行なう。この場合、利用者端末１０のディスプレイには図７に示す表示画面５００が出力される。この表示画面５００には、会員ＩＤ入力欄５０１及びパスワード入力欄５０２が含まれる。これらの入力欄に対しては、利用者端末１０のキーボード等を用いて文字や数字等を入力することができる。
【００６１】
さらに、表示画面５００には、送信ボタン５０３と中止ボタン５０４とが含まれる。送信ボタン５０３は、入力した会員ＩＤやパスワードを２０に送信するためのボタンである。また、中止ボタン５０４は処理を中止するためのボタンである。ここで、会員はサービス事業者から割り振られた会員ＩＤ、パスワードをそれぞれの入力欄（５０１、５０２）に入力する。そして、送信ボタン５０３を押す。この場合、利用者端末１０はインターネットＩを介してログイン要求を送信する（Ｓ２−１）。このログイン要求には、表示画面５００において入力された会員ＩＤ、パスワードに関するデータが含まれる。ここで、会員ＩＤは利用者情報として用いられる。
【００６２】
ログイン要求を受信した管理コンピュータ２１はユーザ認証を行なう（Ｓ２−２）。具体的には、管理コンピュータ２１は、ログイン要求に含まれる会員ＩＤ、パスワードが、会員データ記憶部２２に記録された会員ＩＤ、パスワードと一致するかどうかを確認する。
【００６３】
ユーザ認証が完了した場合には、管理コンピュータ２１は、インターネットＩを介して購入設定画面に関するウェブページデータを利用者端末１０に送信する（Ｓ２−３）。
【００６４】
このウェブページデータを受信した利用者端末１０のディスプレイには、図８に示す表示画面５１０が出力される。この表示画面５１０は、購入する宝くじを選択するための画面である。このため、表示画面５１０には、申込回設定欄５１１、選択数字設定欄５１２、申込口数設定欄５１３、継続回数設定欄５１４が含まれる。更に、表示画面５１０には、申込ボタン５１５と中止ボタン５１６とが含まれる。申込ボタン５１５は、入力した宝くじの購入申込を送信するためのボタンである。また、中止ボタン５１６は、購入申込の処理を中止するためのボタンである。
【００６５】
ここでは、利用者は申込回として「第１５０回」の数字選択式宝くじにおいて、「０２」、「０５」、「１２」、「１８」、「３０」及び「４１」の６個の数字を選択する場合を想定する。そして、申込口数として「５口」、継続回数として「２回」の条件で宝くじの購入申込を行なう場合を想定する。そして、各項目の入力を完了した場合、表示画面５１０の申込ボタン５１５を押す。この場合、利用者端末１０は設定された条件（申込回、選択数字、申込口数、継続回数）に関するデータを含む購入要求を、インターネットＩを介して販売管理システム２０に送信する（Ｓ２−４）。
【００６６】
この購入要求を受信した管理コンピュータ２１は、インターネットＩを介して利用者端末１０に受付画面に関するウェブページデータを送信する（Ｓ２−５）。この場合、まず、管理コンピュータ２１は、購入要求に基づいて、申込回、選択数字、申込口数、継続回数を会員ＩＤに関連づけた販売データ２３０を販売データ記憶部２３に記録する。そして、管理コンピュータ２１は、会員が購入申込を行なった宝くじの内容を含めた受付画面に関するウェブページデータを送信する。
【００６７】
このウェブページデータを受信した利用者端末１０のディスプレイには、図９に示す表示画面５２０が出力される。この表示画面５２０には、会員が購入申込を行なった宝くじの内容表示欄５２１が含まれる。
【００６８】
さらに、管理コンピュータ２１は金融機関ホストシステム３０に対して決済要求を行なう（Ｓ２−６）。この場合、まず、管理コンピュータ２１は、購入申込のあった宝くじの購入代金額を算出する。購入代金額は宝くじの種類（ここでは申込回）と口数に基づいて算出される。なお、複数回の継続回数が設定されている場合には、毎回購入時に決済処理が行なわれる。そして、管理コンピュータ２１は、購入代金額と会員の預金口座識別子に関するデータを含む口座引落指示を金融機関ホストシステム３０に送信する。
【００６９】
決済要求を受信した金融機関ホストシステム３０は、引落処理を実行する（Ｓ２−７）。具体的には、まず金融機関ホストシステム３０は、引落指示に含まれる会員の預金口座識別子に基づいて口座残高を確認する。そして、口座残高が購入代金額以上の場合、金融機関ホストシステム３０は口座引落処理を実行する。この代金は、予め準備された宝くじ発券管理口座に入金される。
【００７０】
そして、金融機関ホストシステム３０は決済結果を販売管理システム２０に通知する（Ｓ２−８）。なお、口座残高が購入代金額に満たない場合は、金融機関ホストシステム３０は、その旨を販売管理システム２０に通知する。そして、管理コンピュータ２１は、インターネットＩを介して利用者端末１０に宝くじを購入ができなかったことを通知する。
【００７１】
決済処理が完了した場合、管理コンピュータ２１は宝くじを購入した会員の住所を売場コードに変換する（Ｓ２−９）。本実施形態では、管理コンピュータ２１は、まず会員データ記憶部２２から宝くじを購入した会員の住所を抽出する。そして、管理コンピュータ２１は、住所地域と売場コードとを対応された変換表データを用いて、購入申込を行なった会員の住所を売場コードに変換する。そして、管理コンピュータ２１は、販売データ記憶部２３に記録された販売データ２３０に売場コードに関するデータを追加記録する。
【００７２】
次に、管理コンピュータ２１は発券要求を発券センタ４０に送信する（Ｓ２−１０）。この発券要求には、購入申込を行なった会員の会員ＩＤ、購入申込のあった宝くじの内容及び売場コードに関するデータが含まれる。この発券要求を受信した発券センタ４０は、発券要求に含まれるデータを販売管理データとして登録する。
【００７３】
そして、発券センタ４０は、販売管理システム２０に発券結果を通知する（Ｓ２−１１）。この発券通知を受信した管理コンピュータ２１は、インターネットＩを介して利用者端末１０に購入結果を送信する（Ｓ２−１２）。
【００７４】
この購入結果を受信した利用者端末１０のディスプレイには、図１０に示す表示画面５３０が出力される。この表示画面５３０には、再購入ボタン５３１と終了ボタン５３２とが含まれる。再購入ボタン５３１は、再度、新たな宝くじの購入申込を行なう場合に用いるボタンである。この再購入ボタン５３１を押した場合、図８に示す表示画面５１０が再度表示される。会員は表示された表示画面５１０を用いて、他の宝くじを購入することができる。また、終了ボタン５３２は、購入申込の処理を終了するためのボタンである。以上により、宝くじの購入申込段階の処理についての説明を終了する。
【００７５】
（宝くじの抽せん段階の処理）
次に、宝くじの抽せん段階の処理を、図６を用いて説明する。この処理は、予め設定された抽せん日に達した場合に実行される。
【００７６】
まず、発券センタ４０は抽せん処理を行なう（Ｓ３−１）。本実施形態の数字選択式宝くじにおいては、発券センタ４０は１〜４３の数字の中から当せん数字を選択する。そして、発券センタ４０は、当せん数字と、販売された宝くじの選択数字との一致度によって当せんした宝くじを購入した会員ＩＤと当せん金とを決定する。
【００７７】
次に、発券センタ４０は、この宝くじの購入者の口座に対する当せん金の入金指示を送信する（Ｓ３−２）。この入金指示には、当せんした宝くじを購入した会員ＩＤと当せん金に関するデータを含む。
【００７８】
この入金指示を受信した管理コンピュータ２１は、受信した会員ＩＤに基づいて、当せんした会員（当せん会員）の会員データ２２０を特定する。そして、会員データ２２０に含まれる電子メールアドレスを用いて利用者端末１０に当せん通知を送信する（Ｓ３−３）。
【００７９】
次に、発券センタ４０は収益金の算出処理を実行する（Ｓ３−４）。この処理では、宝くじの売上金額から当せん金額等を差し引いて収益金を算出する。
次に、発券センタ４０は、売場コードに基づいて収益金の振り分けを行なう（Ｓ３−５）。具体的には、まず、発券センタ４０は、地方自治体毎に関連づけられた売場コードに基づいて、各地方自治体に分配する収益金を算出する。そして、発券センタ４０は入金する地方自治体の口座を特定する。
【００８０】
次に、発券センタ４０は販売管理システム２０に収益金の入金指示を送信する（Ｓ３−６）。この入金指示には、入金先である地方自治体の口座の識別子と、分配する収益金に関するデータが含まれる。
【００８１】
この収益金の入金指示を受信した管理コンピュータ２１は、当せん金及び収益金の決済要求を金融機関ホストシステム３０に送信する（Ｓ３−７）。
この決済要求を受信した金融機関ホストシステム３０は決済処理を実行する（Ｓ３−８）。具体的には、当せん金を当せん会員の預金口座に入金する。さらに、金融機関ホストシステム３０は収益金を各地方自治体の口座に入金する。
【００８２】
そして、金融機関ホストシステム３０は決済結果を販売管理システム２０に送信する（Ｓ３−９）。以上により、宝くじの抽せん段階の処理についての説明を終了する。
【００８３】
以上、本実施形態によれば、以下に示す効果を得ることができる。
・  上記実施形態では、会員データ記憶部２２には、本サービスを利用できる会員に関する会員データ２２０が記録されている。会員データ２２０は、住所に関するデータを含めて構成される。そして、管理コンピュータ２１は、会員データ記憶部２２を用いて、宝くじを購入した会員の住所を売場コードに変換する。管理コンピュータ２１が発券センタ４０に送信する発券要求には、購入申込を行なった会員の会員ＩＤ、購入申込のあった宝くじの内容及び売場コードに関するデータが含まれる。これにより、発券センタ４０は宝くじ販売の収益金を地方自治体に分配することができる。従って、地理的制約を緩和できるインターネットＩを介して宝くじを販売することにより、利用者の利便性を図ると同時に、各地方自治体に収益金を分配することが可能である。
【００８４】
・  上記実施形態では、会員データ記憶部２２には、本サービスを利用できる会員に関する会員データ２２０が記録されている。この会員データ２２０には住所未確認フラグに関するデータを含む。この住所未確認フラグデータ領域には、会員住所の確認の有無に関するデータが記録される。本実施形態では、住所確認フラグは、会員の住所に送付した郵送物が届かずに返送されたことにより、会員の住所を確認できなかった場合に記録される。このため、住所の確認できない会員には宝くじを販売しない。従って、収益金を分配する地方自治体の不明な収益金の発生を防止することができる。
【００８５】
・  上記実施形態では、管理コンピュータ２１は金融機関ホストシステム３０に対して決済要求を行なう。決済要求を受信した金融機関ホストシステム３０は、引落処理を実行する。具体的には、まず金融機関ホストシステム３０は、引落指示に含まれる会員の預金口座識別子に基づいて口座残高を確認する。そして、口座残高が購入代金額以上の場合、金融機関ホストシステム３０は口座引落処理を実行する。そして、金融機関ホストシステム３０は決済結果を販売管理システム２０に通知する。そして、管理コンピュータ２１は発券要求を発券センタ４０に送信する。この発券要求を受信した発券センタ４０は、発券要求に含まれるデータを販売管理データとして登録する。このため、口座引落ができない場合の発券を防止できる。特に、数字選択式宝くじでは、当せん金額は発売額と当せん口数によって決定されるため、口座引落ができなかった場合、発売額を修正する必要があり、当せん金等に影響を与える。実施形態では、販売代金の決済後に発券を行なうので、確実に発券を行なうことができる。
【００８６】
・  上記実施形態では、管理コンピュータ２１は、会員データ記憶部２２を用いて、宝くじを購入した会員の住所を売場コードに変換する。これにより、インターネットＩを介さずに、直接、宝くじ売場で販売した宝くじと同様に発券を取り扱うことができる。
【００８７】
なお、上記実施形態は、以下の態様に変更してもよい。
・  上記実施形態では、投票券として数字選択くじの販売及び管理について説明したが、その他の一般的な宝くじ、サッカーくじ等において、上記実施例と同様にして販売及び管理を行なうことができる。
【００８８】
・  上記実施形態では、宝くじ販売サービスは、会員データ記憶部２２に会員登録された利用者に対して提供される。これに代えて、会員に限らず購入希望者に提供してもよい。この場合、購入希望者が用いる預金口座に関して登録された住所を用いる。これにより、事前の会員登録ない場合においても宝くじを購入することができる。
【００８９】
・  上記実施形態では、会員データ記憶部２２には、本サービスを利用できる会員に関する会員データ２２０が記録されている。会員データ２２０には、住所に関するデータを含んで構成される。管理コンピュータ２１は、会員データ記憶部２２を用いて、宝くじを購入した会員の住所を売場コードに変換する。これに代えて、宝くじの販売地を購入者に選択させてもよい。この場合、管理コンピュータ２１は利用者に購入地域情報、及び購入希望の宝くじの選択を促す。利用者は希望する購入地域情報、及び購入希望の宝くじの内容を含めた購入要求を販売管理システム２０に送信する。そして、管理コンピュータ２１は、購入地域情報を売場コードに変換する。そして、管理コンピュータ２１は、売場コードを含めた発券要求を発券センタ４０に送信する。これにより、利用者の希望に基づいて、販売地域を特定することができる。例えば、利用者の故郷や好みの地域等、利用者の所在地から遠隔する地域で販売された宝くじを購入することができる。そして、発券センタ４０は、購入地域情報を用いて、宝くじ販売の収益金を分配する地方自治体を特定することができる。従って、地理的な条件に制約されず、ネットワークの利便性を活かした宝くじの販売を行なうことができる。さらに、この場合、利用者端末は利用者自身の端末である必要はなく、公共的な端末を用いることも可能である。
【００９０】
・  上記実施形態では、管理コンピュータ２１は、会員データ記憶部２２を用いて、宝くじを購入した会員の住所を売場コードに変換する。これに代えて、購入者の所在地に基づいて宝くじ販売の収益金を分配する地方自治体を特定してもよい。この場合、販売管理システム２０の管理コンピュータ２１は、購入者の所在地を特定する。例えば、宝くじの購入者がモバイル端末等を用いる場合、管理コンピュータ２１は、位置測定手段を用いて、購入者の所在地を把握する。ここの場合、位置測定手段としてのＧＰＳ（Global Positioning System ）や、ＰＨＳ（Personal Handy-phone System ）の位置情報提供サービス等を用いる。そして、管理コンピュータ２１は、購入者の所在地情報を売場コードに変換し、売場コードを含めた発券要求を発券センタ４０に送信する。これによっても、発券センタ４０は宝くじ販売の収益金を分配する地方自治体を特定することができる。従って、実存する売場での販売に近い形態で、効率的に宝くじの販売を行なうことができる。特に、利用者の所在地に関する情報は、管理コンピュータ２１が位置測定手段を用いて取得するので、所在地等の入力等、利用者に負担をかけずに、より確実に所在地を特定できる。
【００９１】
・  上記実施形態では、会員データ記憶部２２には、本サービスを利用できる会員に関する会員データ２２０が記録されている。会員データ２２０には、住所に関するデータを含んで構成される。これに代えて、会員データ２２０の記録時に、この会員の属性に基づいて売場コードを会員データ記憶部２２に記録してもよい。これにより、管理コンピュータ２１は、発券要求時の会員の住所を売場コードに変換する処理を削減でき、効率的に宝くじの販売を行なうことができる。
【００９２】
【発明の効果】
以上詳述したように、本発明によれば、ネットワークの特性を生かしながら、効率よく地域性を有する投票券を販売することができる。
【図面の簡単な説明】
【図１】本発明の実施形態のシステム概略図。
【図２】会員データ記憶部に記録されたデータの説明図。
【図３】販売データ記憶部に記録されたデータの説明図。
【図４】本実施形態の処理手順の説明図。
【図５】本実施形態の処理手順の説明図。
【図６】本実施形態の処理手順の説明図。
【図７】利用者端末に表示された表示画面の説明図。
【図８】利用者端末に表示された表示画面の説明図。
【図９】利用者端末に表示された表示画面の説明図。
【図１０】利用者端末に表示された表示画面の説明図。
【符号の説明】
１０…利用者端末、２０…販売管理システム、２１…管理コンピュータ、Ｉ…ネットワークとしてのインターネット。
【図１】
2004213105.tif 000003
【図２】
2004213105.tif 000004
【図３】
2004213105.tif 000005
【図４】
2004213105.tif 000006
【図５】
2004213105.tif 000007
【図６】
2004213105.tif 000008
【図７】
2004213105.tif 000009
【図８】
2004213105.tif 000010
【図９】
2004213105.tif 000011
【図１０】
2004213105.tif 000012